【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
入口のための装置であって、
頂部、底部、左側、および右側、ならびに前記頂部にスリーブを有するシート材料であって、前記スリーブの下の位置から、前記シート材料の前記左側と前記右側との間の、前記シート材料の前記底部に延びる開口部を有し、前記開口部は左の閉じ目および右の閉じ目を有する、シート材料と、
前記開口部の前記左の閉じ目に位置付けられた第１のマグネットと、
前記開口部の前記右の閉じ目に位置付けられた第２のマグネットであって、前記第１および第２のマグネットは磁気連結される、第２のマグネットと、
第１の端部および第２の端部を有する可変長の横材であって、前記スリーブに位置付けられるよう構築および配置され、前記第１の端部に第１の固定機構、および第２の端部に第２の固定機構を含み、前記第１の固定機構および前記第２の固定機構は、前記横材を、第１の垂直ポールおよび第２の垂直ポールの本体部分にそれぞれ固定するよう構築および配置された、可変長の横材と
を備えることを特徴とする装置。
【請求項２】
請求項１に記載の装置であって、前記可変長の横材は、複数の入れ子式セグメントを備えることを特徴とする装置。
【請求項３】
請求項２に記載の装置であって、前記複数の入れ子式セグメントのうちの内側のセグメントは、前記複数の入れ子式セグメントのうちの外側のセグメントの内部で摺動することを特徴とする装置。
【請求項４】
請求項３に記載の装置であって、前記可変長の横材の長さが自由に変更でき、ロック機構または長さ固定機構によって妨げられないように、前記複数のセグメントが摺動することを特徴とする装置。
【請求項５】
請求項３に記載の装置であって、前記複数のセグメントは、相対的に狭い第１のセグメント、および相対的に広い第２のセグメントを備えることを特徴とする装置。
【請求項６】
請求項３に記載の装置であって、前記複数のセグメントは、相対的に狭い第１および第２の端部セグメントと、相対的に広い中間セグメントとを備え、前記第１および第２の端部セグメントは、前記中間セグメントの両端部で入れ子式にはまり込むことを特徴とする装置。
【請求項７】
請求項１に記載の装置であって、前記可変長の横材は、互いに並行して摺動する複数のセグメントを含むことを特徴とする装置。
【請求項８】
請求項１に記載の装置であって、前記第１の固定機構および第２の固定機構は、前記可変長の横材の第１および第２の端部の内側に解放可能に連結するよう構築および配置される、クイック連結機構を含むことを特徴とする装置。
【請求項９】
請求項８の装置であって、前記クイック連結機構は、ツイストロック機構を備えることを特徴とする装置。
【請求項１０】
請求項１に記載の装置であって、前記第１および第２の固定機構の各々は、Ｃクリップを備えることを特徴とする装置。
【請求項１１】
請求項１に記載の装置であって、前記シート材料は、丈夫な材料、耐久性ナイロン材料、ナイロンタフタ、リップストップ材料、合成材料、天然織物材料、プラスチック材料から選択される材料を含むことを特徴とする装置。
【請求項１２】
請求項１に記載の装置であって、前記マグネットは、前記左または右の閉じ目に沿って位置付けられた複数のマグネットを含むことを特徴とする装置。
【請求項１３】
請求項１２に記載の装置であって、前記マグネットはＮ極およびＳ極を有する細長い本体を含むことを特徴とする装置。
【請求項１４】
請求項１２に記載の装置であって、前記左右の閉じ目の対応する垂直位置において、対応するマグネットの前記Ｎ極およびＳ極は、互いに吸引するよう反対になるように構成されることを特徴とする装置。
【請求項１５】
請求項１に記載の装置であって、前記スリーブは、前記シート材料の前記左側から前記右側に延びることを特徴とする装置。
【請求項１６】
請求項１５に記載の装置であって、前記スリーブは、その長さに沿って連続していることを特徴とする装置。
【請求項１７】
請求項１５に記載の装置であって、前記スリーブは、その長さに沿って複数の開口部を含むことを特徴とする装置。
【請求項１８】
請求項１に記載の装置であって、前記可変長の横材は、自由に変更可能で、ロック機構または長さ固定機構によって妨げられない長さを有することを特徴とする装置。
【請求項１９】
請求項１に記載の装置であって、前記シート材料の前記底部に沿って位置付けられる複数のウェイトをさらに備えることを特徴とする装置。
【請求項２０】
ハンズフリーの入口システムを組み立てる方法であって、
ハンズフリーの入口カーテンが設置される、第１および第２の垂直ポールを含むダストパーティションシステムの領域の位置を特定することであって、前記入口カーテンは、
頂部、底部、左側、および右側を有するシート材料であって、前記シート材料の前記頂部はスリーブを含み、前記シート材料は、前記スリーブの下の位置から、前記シート材料の前記左側と前記右側との間の、前記シート材料の前記底部に延びる開口部を有し、前記開口部は左の閉じ目および右の閉じ目を有する、シート材料と、
前記開口部の前記左の閉じ目に位置付けられた第１のマグネットと、
前記開口部の前記右の閉じ目に位置付けられた第２のマグネットであって、前記第１および第２のマグネットは磁気連結される、第２のマグネットと
を備えた、特定することと、
可変長の横材を入口カーテンの前記スリーブに装着することと、
前記可変長の横材および入口カーテンを、前記第１および第２の垂直ポールの本体の側部分に装着することと、
前記入口カーテンの側部分を、前記第１および第２の垂直ポールの前記本体の前記側部分に固定することと
を含むことを特徴とする方法。
【請求項２１】
請求項２０に記載の方法であって、人が進入または退出するのに十分であるように、前記第１および第２の垂直ポールの垂直位置に前記横材を位置付けることをさらに含むことを特徴とする方法。
【請求項２２】
請求項２０に記載の方法であって、前記可変長の横材は、自由に変更可能で、ロック機構または長さ固定機構によって妨げられない長さを有することを特徴とする方法。
【請求項２３】
請求項２０に記載の方法であって、前記可変長の横材は、複数の入れ子式セグメントを備えることを特徴とする方法。
【請求項２４】
請求項２３に記載の方法であって、前記複数の入れ子式セグメントのうちの内側のセグメントは、前記複数の入れ子式セグメントのうちの外側のセグメントの内部で摺動することを特徴とする方法。
【請求項２５】
請求項２４に記載の方法であって、前記可変長の横材の長さが自由に変更でき、ロック機構または長さ固定機構によって妨げられないように、前記複数のセグメントが摺動することを特徴とする方法。
【請求項２６】
請求項２３に記載の方法であって、前記複数のセグメントは、相対的に狭い第１のセグメント、および相対的に広い第２のセグメントを備えることを特徴とする方法。
【請求項２７】
請求項２３に記載の方法であって、前記複数のセグメントは、相対的に狭い第１および第２の端部セグメントと、相対的に広い中間セグメントとを備え、前記第１および第２の端部セグメントは、前記中間セグメントの両端部で入れ子式にはまり込むことを特徴とする方法。
【請求項２８】
請求項２０に記載の方法であって、前記可変長の横材は、互いに並行して摺動する複数のセグメントを備えることを特徴とする方法。
【請求項２９】
請求項２０に記載の方法であって、前記可変長の横材を前記第１および第２の垂直ポールに装着することは、前記第１および第２の垂直ポールが建物の部屋の床と天井との間に設置された後に実行されることを特徴とする方法。